(57)【要約】【課題】  音声とデータを同時に伝送できる車両用通信装置の提供。【解決手段】  収音装置を利用し外界の音声信号を受信し、少なくとも一つの出力、入力がいずれもデータとされる車用アクセサリを具え、並びに搬送波変調回路を利用し該データを受信して搬送波変調処理してアナログ信号となし、さらに該アナログ信号と該音声信号を相加しデータを搬送する音声信号となし、且つＧＳＭモジュールでそれを遠端に受信するか、或いは遠端のデータを搬送する音声信号を受信し、並びに復調回路に伝送しデータを搬送する音声信号を復調処理し、音声信号とデータをそれぞれ獲得し、該音声信号を放送装置により放送する。【選択図】        図３
0003119281.tif 000002
【実用新案登録請求の範囲】
【請求項１】
音声とデータを同時に伝送する車両用通信装置において、
外界の音声信号を受信する収音装置と、
データを受信し並びにそれを搬送波変調処理してアナログ信号となし、該アナログ信号を外界の音声信号と相加してデータを搬送する音声信号となす搬送波変調装置と、
復調回路と、
放送装置と、
上述のデータを搬送する音声信号を遠端に無線伝送するＧＳＭモジュールと、
を具え、そのうち、該ＧＳＭモジュールが無線で別のデータを搬送する音声信号を受信でき、且つ該復調回路が別のデータを搬送する音声信号を復調処理し、音声信号とデータをそれぞれ獲得し、音声信号を放送装置により放送することを特徴とする、車両用通信装置。
【請求項２】
前記車両用通信装置がパケット処理装置を具え、該パケット処理装置がデータに対してパケット処理及びパケット開封処理を行うことを特徴とする、請求項１に記載の車両用通信装置。
【請求項３】
前記車両用通信装置がデータ伝送用のデータバスを具えたことを特徴とする、請求項１に記載の車両用通信装置。
【請求項４】
前記データが少なくとも一つの車用アクセサリの出力或いは入力とされたことを特徴とする、請求項１に記載の車両用通信装置。
【請求項５】
前記車用アクセサリがＧＳＭとされたことを特徴とする、請求項４に記載の車両用通信装置。
【請求項６】
前記車用アクセサリが自動ナビゲーションシステムとされたことを特徴とする、請求項４に記載の車両用通信装置。
【請求項７】
前記車用アクセサリが盗難防止装置とされたことを特徴とする、請求項４に記載の車両用通信装置。
【請求項８】
前記車用アクセサリが車上情報端末とされたことを特徴とする、請求項４に記載の車両用通信装置。
【考案の詳細な説明】
【技術分野】
【０００１】
本考案は一種の通信装置に係り、特に、車両用通信装置に関する。
【背景技術】
【０００２】
図１は現在使用されている車用アクセサリの音声信号の伝送及び受信表示図である。周知の音声（Ｖｏｉｃｅ）信号はＧＳＭモジュール３１を経由して音声の伝送と受信を行う。図２はまた周知の車用アクセサリのデータ信号の伝送及び受信表示図である。周知のデータもまたＧＳＭモジュール３１を経由して音声の伝送と受信を行う。【０００３】
上述の音声とデータは同一の周知のＧＳＭモジュール３１を使用して伝送と受信を行う。しかし周知のＧＳＭモジュール３１は音声信号伝送時には音声のみを単独で伝送できるだけで、データを併せて伝送することはできず、またデータを伝送する時には単独でデータを伝送できるだけで、音声信号を同時に伝送することはできなかった。このため、音声とデータを同時に出力したい場合は、二つの電話でそれぞれ音声、データの伝送を行わねばならず、使用上不便であり且つ効率が低かった。
【考案の開示】
【考案が解決しようとする課題】
【０００４】
本考案の主要な目的は一種の車両用通信装置を提供することにあり、それは、搬送波変調装置を使用し、データ（Ｄａｔａ）を音声（Ｖｏｉｃｅ）データに載せ、さらにＧＳＭモジュールを利用し、データを搬送する音声信号を伝送し、該ＧＳＭモジュールはさらに別のデータを搬送する音声信号を受信でき、復調回路で音声信号とデータを分離するようにしている。
【課題を解決するための手段】
【０００５】
請求項１の考案は、音声とデータを同時に伝送する車両用通信装置において、
外界の音声信号を受信する収音装置と、
データを受信し並びにそれを搬送波変調処理してアナログ信号となし、該アナログ信号を外界の音声信号と相加してデータを搬送する音声信号となす搬送波変調装置と、
復調回路と、
放送装置と、
上述のデータを搬送する音声信号を遠端に無線伝送するＧＳＭモジュールと、
を具え、そのうち、該ＧＳＭモジュールが無線で別のデータを搬送する音声信号を受信でき、且つ該復調回路が別のデータを搬送する音声信号を復調処理し、音声信号とデータをそれぞれ獲得し、音声信号を放送装置により放送することを特徴とする、車両用通信装置としている。
請求項２の考案は、前記車両用通信装置がパケット処理装置を具え、該パケット処理装置がデータに対してパケット処理及びパケット開封処理を行うことを特徴とする、請求項１に記載の車両用通信装置としている。
請求項３の考案は、前記車両用通信装置がデータ伝送用のデータバスを具えたことを特徴とする、請求項１に記載の車両用通信装置としている。
請求項４の考案は、前記データが少なくとも一つの車用アクセサリの出力或いは入力とされたことを特徴とする、請求項１に記載の車両用通信装置としている。
請求項５の考案は、前記車用アクセサリがＧＳＭとされたことを特徴とする、請求項４に記載の車両用通信装置としている。  請求項６の考案は、前記車用アクセサリが自動ナビゲーションシステムとされたことを特徴とする、請求項４に記載の車両用通信装置。
請求項７の考案は、前記車用アクセサリが盗難防止装置とされたことを特徴とする、請求項４に記載の車両用通信装置。
請求項８の考案は、前記車用アクセサリが車上情報端末とされたことを特徴とする、請求項４に記載の車両用通信装置。
【考案の効果】
【０００６】
本考案はパケット処理装置を利用し、異なる種類の車用アクセサリのデータをパケット処理し、フォーマット化してパケットデータとなすか、或いは復調処理後のデータをパケット開封処理する。搬送波変調回路がパケット処理後のデータを搬送波変調処理して音声信号に相加し、並びにＧＳＭモジュールにより伝送する。反対に復調回路がＧＳＭモジュールにより受信した遠方より送られたデータを搬送する音声信号を復調処理し並びに音声信号とデータに分離する。
【考案を実施するための最良の形態】
【０００７】
本考案の車両用通信装置は、外界の音声信号を受信する収音装置と、データを受信し並びにそれを搬送波変調処理してアナログ信号となし、該アナログ信号を外界の音声信号と相加してデータを搬送する音声信号となす搬送波変調装置と、復調回路と、放送装置と、上述のデータを搬送する音声信号を遠端に無線伝送するＧＳＭモジュールと、を具え、そのうち、該ＧＳＭモジュールは無線で別のデータを搬送する音声信号を受信でき、且つ該復調回路が別のデータを搬送する音声信号を復調処理し、音声信号とデータをそれぞれ獲得し、音声信号を放送装置により放送する。
【実施例１】
【０００８】
本考案の車両用通信装置の好ましい実施例について図３の機能ブロック図を参照されたい。本考案の車両用通信装置は、収音装置２、搬送波変調回路１１、復調回路１２、放送装置６、ＧＳＭモジュール３、パケット処理装置４、及び若干の車用アクセサリ５で組成されている。そのうち、搬送波変調回路１１及び復調回路１２は搬送波変調装置１中に併設されている。パケット処理装置４と各車用アクセサリ５はデータバス５０で連接されている。【０００９】
前述の収音装置２はマイクロホンとされ、外界の音声信号（Ｖｏｉｃｅ）を受信するのに用いられる。各一つの車用アクセサリ５の出力、入力はいずれもデータタイプとされ、それはＧＰＳ５１、自動ナビゲーションシステム５２、盗難防止装置５３、車上情報端末５４とされうる。各車用アクセサリ５は単独使用されるか、或いは多種類のシステム装置が同時に使用されるが、その共通点はデータバス５０でそのうちのデータを伝送することができることである。パケット処理装置４は受信したデータをパケット処理するかパケットを開封処理する。搬送波変調回路１１はパケット処理後のデータを受け取り、それを搬送波変調処理してアナログ信号となし、さらにこのアナログ信号と収音装置２の受信した音声信号を相加し、データを搬送する音声信号となす。ＧＳＭモジュール３は続いてデータを搬送する音声信号を無線方式で遠方に伝送する。反対にＧＳＭモジュール３は遠方より伝送されたデータを搬送する音声信号を受信する。復調回路１２はＧＳＭモジュール３の受信したデータを搬送する音声信号を復調処理し、データと音声信号を分離し、且つ分離後のデータを直接そのうちの一つのパケット処理装置４に伝送しパケット開封処理を行わせ、さらにデータバス５０でデータを車用アクセサリ５に伝送する。放送装置６はスピーカとされ得て、変調処理後の音声信号を放送する。【００１０】
図４は本考案の車両用通信装置をデータを搬送する音声信号の伝送に用いる動作フローチャートである。同時にデータと音声信号を遠方に伝送する時、もし、データが車上情報端末５４及び自動ナビゲーションシステム５２のデータを含む時、二種類の異なるデータをデータバス５０によりパケット処理装置４に送り、パケット処理装置４がこの二種類のデータに対してパケットフォーム処理を行い一つのパケットデータとなし（ステップＳ３０１）、さらにそれを搬送波変調装置１に送る。搬送波変調装置１の搬送波変調回路１１がすでにパケット処理されたデータに対して搬送波変調処理を行いアナログ信号となし、続いてアナログ信号と収音装置２の受信した音声信号を相加処理し、データを搬送する音声信号となし（ステップＳ３０２）、さらにデータを搬送する音声信号をＧＳＭモジュール３により遠方に伝送する（ステップＳ３０３）。【００１１】
図５は本考案の車両用通信装置がデータを搬送する音声信号を受信する動作フローチャートである。ＧＳＭモジュール３が遠方より送られたデータを搬送する音声信号を受信する時（ステップＳ３０４）、直接復調回路１２に伝送し、復調処理を行い、音声信号とデータをそれぞれ得る（ステップＳ３０５）。音声信号は放送装置６により放送し（ステップＳ３０６）、データはパケット処理装置４でパケット開封処理し、データのフィールド値を特定ビットにより各種の車用アクセサリのデータに分類し（ステップＳ３０７）、自動ナビゲーションシステム５２にそのナビゲーション情報を分配し、車上情報端末５４に株式情報を分配する。【００１２】
総合すると、本考案はその目的、機能、手段のいずれにおいても周知の技術の特徴とは異なる、車両用通信装置の一大突破であり、特許の要件を具備している。なお本考案に基づきなしうる細部の修飾或いは改変は、いずれも本考案の請求範囲に属するものとする。
【図面の簡単な説明】
【００１３】
【図１】周知のＧＳＭモジュールの音声信号伝送及び受信表示図である。
【図２】周知のＧＳＭモジュールのデータ伝送及び受信表示図である。
【図３】本考案の車両用通信装置の機能ブロック図である。
【図４】本考案の車両用通信装置のデータを搬送する音声信号伝送のフローチャートである。
【図５】本考案の車両用通信装置のデータを搬送する音声信号受信のフローチャートである。
【符号の説明】
【００１４】
１  搬送波変調装置          ２  収音装置
３  ＧＳＭモジュール        ３１、３２  伝送モジュール
４  パケット処理装置        ５  車用アクセサリ
１１  搬送波変調回路        １２  復調回路
５０  データバス            ５１  ＧＰＳ
５２  自動ナビゲーションシステム        ５３  盗難防止装置
５４  車上情報端末システム      ６  放送装置
【図１】
0003119281.tif 000003
【図２】
0003119281.tif 000004
【図３】
0003119281.tif 000005
【図４】
0003119281.tif 000006
【図５】
0003119281.tif 000007
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
音声とデータを同時に伝送する車両用通信装置において、
外界の音声信号を受信する収音装置と、
該収音装置に電気的に接続され、且つ車上情報端末システムより入力されたデータを受け取り並びにそれを搬送波変調処理してアナログ信号となし、該アナログ信号を外界の音声信号と相加してデータを搬送する音声信号となす搬送波変調装置と、
該搬送波変調装置に電気的に接続された復調回路と、
該復調回路に電気的に接続された放送装置と、
該復調回路に電気的に接続されて上述のデータを搬送する音声信号を遠端に無線伝送するＧＳＭモジュールと、
を具え、そのうち、該ＧＳＭモジュールが無線で別のデータを搬送する音声信号を受信でき、且つ該復調回路が別のデータを搬送する音声信号を復調処理し、音声信号とデータをそれぞれ獲得し、音声信号を放送装置により放送し、及び、データを該車上情報端末システムを通して送出することを特徴とする、車両用通信装置。
【請求項２】
前記車両用通信装置がパケット処理装置を具え、該パケット処理装置がデータに対してパケット処理及びパケット開封処理を行うことを特徴とする、請求項１に記載の車両用通信装置。
【請求項３】
前記車両用通信装置がデータ伝送用のデータバスを具えたことを特徴とする、請求項１に記載の車両用通信装置。
【請求項４】
ＧＰＳグローバルポジショニングシステムを更に包含し、それは電気的に前記搬送波変調回路に接続され並びに別のデータを入力することを特徴とする、請求項１に記載の車両用通信装置。
【請求項５】
自動ナビゲーションシステムを更に包含し、それは電気的に前記搬送波変調回路に接続され並びに別のデータを入力することを特徴とする、請求項１に記載の車両用通信装置。
【請求項６】
盗難防止装置を更に包含し、それは電気的に前記搬送波変調回路に接続され並びに別のデータを入力することを特徴とする、請求項１に記載の車両用通信装置。
【手続補正２】
【補正対象書類名】明細書
【補正対象項目名】０００５
【補正方法】変更
【補正の内容】
【０００５】
請求項１の考案は、音声とデータを同時に伝送する車両用通信装置において、
外界の音声信号を受信する収音装置と、
該収音装置に電気的に接続され、且つ車上情報端末システムより入力されたデータを受け取り並びにそれを搬送波変調処理してアナログ信号となし、該アナログ信号を外界の音声信号と相加してデータを搬送する音声信号となす搬送波変調装置と、
該搬送波変調装置に電気的に接続された復調回路と、
該復調回路に電気的に接続された放送装置と、
該復調回路に電気的に接続されて上述のデータを搬送する音声信号を遠端に無線伝送するＧＳＭモジュールと、
を具え、そのうち、該ＧＳＭモジュールが無線で別のデータを搬送する音声信号を受信でき、且つ該復調回路が別のデータを搬送する音声信号を復調処理し、音声信号とデータをそれぞれ獲得し、音声信号を放送装置により放送し、及び、データを該車上情報端末システムを通して送出することを特徴とする、車両用通信装置としている。
請求項２の考案は、前記車両用通信装置がパケット処理装置を具え、該パケット処理装置がデータに対してパケット処理及びパケット開封処理を行うことを特徴とする、請求項１に記載の車両用通信装置としている。
請求項３の考案は、前記車両用通信装置がデータ伝送用のデータバスを具えたことを特徴とする、請求項１に記載の車両用通信装置としている。
請求項４の考案は、ＧＰＳグローバルポジショニングシステムを更に包含し、それは電気的に前記搬送波変調回路に接続され並びに別のデータを入力することを特徴とする、請求項１に記載の車両用通信装置としている。
請求項５の考案は、自動ナビゲーションシステムを更に包含し、それは電気的に前記搬送波変調回路に接続され並びに別のデータを入力することを特徴とする、請求項１に記載の車両用通信装置としている。
請求項６の考案は、盗難防止装置を更に包含し、それは電気的に前記搬送波変調回路に接続され並びに別のデータを入力することを特徴とする、請求項１に記載の車両用通信装置としている。